(57)【要約】【課題】ＡＴＭ制御装置に関し，ＡＴＭが自動的に新旧紙幣の運用モードを適切に切り替えることができるようにすることを目的とする。【解決手段】新紙幣流通量設定情報管理手段３は，新紙幣流通量設定情報入力手段２により入力された，または新紙幣流通量設定情報変更手段５により変更された新紙幣流通量の設定情報を管理する。新紙幣流通量算出手段６は，カウンタ情報管理手段４で管理されている新旧紙幣のカウンタ情報から現在の新紙幣流通量を算出する。新紙幣流通量比較手段７は，新紙幣流通量設定情報管理手段３で管理されている新紙幣流通量の設定情報を参照し，新紙幣流通量算出手段６で算出された現在の新紙幣流通量に該当する運用モードを検出する。運用モード切替手段８は，現在の運用モードを新紙幣流通量比較手段７で検出された運用モードに自動的に切り替える。【選択図】図１
2005339320.tif 000002
【特許請求の範囲】
【請求項１】
新紙幣に対応するＡＴＭを制御するＡＴＭ制御装置であって，
新紙幣と旧紙幣の扱いの運用モードを切り替える基準となる新紙幣流通量を示す値に関する情報である新紙幣流通量の設定情報を入力する手段と，
前記入力された新紙幣流通量の設定情報を記録する手段と，
現時点での新紙幣流通量を算出する手段と，
前記記録された新紙幣流通量の設定情報を参照することにより，前記現時点での新紙幣流通量に適した新紙幣と旧紙幣の扱いの運用モードを検出する手段と，
前記ＡＴＭにおける新紙幣と旧紙幣の扱いの運用モードを，前記検出された新紙幣と旧紙幣の扱いの運用モードに切り替える手段とを備える
ことを特徴とするＡＴＭ制御装置。
【請求項２】
新紙幣に対応するＡＴＭを制御するＡＴＭ制御装置であって，
新紙幣および旧紙幣の枚数情報をホストコンピュータへ送信する手段と，
新紙幣と旧紙幣の扱いの運用モードを切り替える基準となる新紙幣流通量を示す値に関する情報である新紙幣流通量の設定情報を，ホストコンピュータから受信する手段と，
前記受信した新紙幣流通量の設定情報を記録する手段と，
現時点での新紙幣流通量を算出する手段と，
前記記録された新紙幣流通量の設定情報を参照することにより，前記現時点での新紙幣流通量に適した新紙幣と旧紙幣の扱いの運用モードを検出する手段と，
前記ＡＴＭにおける新紙幣と旧紙幣の扱いの運用モードを，前記検出された新紙幣と旧紙幣の扱いの運用モードに切り替える手段とを備える
ことを特徴とするＡＴＭ制御装置。
【請求項３】
請求項１または請求項２記載のＡＴＭ制御装置において，
前記運用モードは，第１，第２および第３の段階のモードを含み，
第１の段階が，新紙幣の流通が少ない場合に入金された新紙幣および旧紙幣をともに出金取引へ回す新旧紙幣リサイクルモードであり，
第２の段階が，新紙幣の流通量が所定の量になった場合に，入金された旧紙幣を回収用のカセットに回収し，新紙幣だけを出金取引へ回す旧紙幣カセット回収モードであり，
第３の段階が，旧紙幣の流通量が少なくなった場合に，入金された旧紙幣を前記回収用のカセットよりも収納容量の少ない収納箱に回収し，新紙幣だけを出金取引へ回す旧紙幣リジェクト回収モードである
ことを特徴とするＡＴＭ制御装置。
【請求項４】
新紙幣に対応するＡＴＭを制御するＡＴＭ制御方法であって，
新紙幣と旧紙幣の扱いの運用モードを切り替える基準となる新紙幣流通量を示す値に関する情報である新紙幣流通量の設定情報を入力する過程と，
前記入力された新紙幣流通量の設定情報を記録する過程と，
現時点での新紙幣流通量を算出する過程と，
前記記録された新紙幣流通量の設定情報を参照することにより，前記現時点での新紙幣流通量に適した新紙幣と旧紙幣の扱いの運用モードを検出する過程と，
前記ＡＴＭにおける新紙幣と旧紙幣の扱いの運用モードを，前記検出された新紙幣と旧紙幣の扱いの運用モードに切り替える過程とを有する
ことを特徴とするＡＴＭ制御方法。
【請求項５】
新紙幣に対応するＡＴＭを制御するＡＴＭ制御方法であって，
新紙幣および旧紙幣の枚数情報をホストコンピュータへ送信する過程と，
新紙幣と旧紙幣の扱いの運用モードを切り替える基準となる新紙幣流通量を示す値に関する情報である新紙幣流通量の設定情報を，ホストコンピュータから受信する過程と，
前記受信した新紙幣流通量の設定情報を記録する過程と，
現時点での新紙幣流通量を算出する過程と，
前記記録された新紙幣流通量の設定情報を参照することにより，前記現時点での新紙幣流通量に適した新紙幣と旧紙幣の扱いの運用モードを検出する過程と，
前記ＡＴＭにおける新紙幣と旧紙幣の扱いの運用モードを，前記検出された新紙幣と旧紙幣の扱いの運用モードに切り替える過程とを備える
ことを特徴とするＡＴＭ制御方法。
【発明の詳細な説明】
【技術分野】
【０００１】
本発明は，新紙幣に対応するＡＴＭを制御する技術に関するものであり，特に，新旧紙幣の運用を自動的に切り替えるＡＴＭ制御装置およびＡＴＭ制御方法に関するものである。
【背景技術】
【０００２】
新紙幣（以下，新券ともいう）が発行されると，それまで使用されていた旧紙幣（以下，旧券ともいう）を回収し，新紙幣を流通させる必要がある。このため，発行された新紙幣に対応するＡＴＭ（現金自動預け入れ払い機）でも，旧紙幣の回収，新紙幣の流通が行われるようにする。ＡＴＭにおける新紙幣と旧紙幣の扱いは，段階を追ってモード（以下，運用モードという）を変化させていくのが一般的である。
【０００３】
図１１は，ＡＴＭにおける運用モードの例を説明する図である。図１１の例は，３段階の運用モードがある場合の例である。図１１におけるＡＴＭ１００は，すべての金種（千券（千円札），二千券（２千円札），五千券（５千円札），万券（１万円札））の投入を受け付けるが，発行するのは千券と万券のみである。
【０００４】
図１１において，ＡＴＭ１００は，紙幣出入口１０１，鑑別部１０２，Ｆスタッカ１０３，Ｒスタッカ１０４，Ｆカセット１０５，Ｒカセット１０６，リジェクトボックス１０７を備えている。
【０００５】
紙幣出入口１０１は，ＡＴＭ１００の利用者による紙幣の入出金口である。鑑別部１０２は，紙幣の種類（金種）や，使用の可否を判別する。紙幣の汚れや傷みなどがひどい場合には，その紙幣を再利用せずに，リジェクトボックス１０７に回収する。
【０００６】
スタッカ（Ｆスタッカ１０３，Ｒスタッカ１０４）は，ＡＴＭ１００本体からの着脱が不可能な紙幣の収納ボックスである。ここでは，ＡＴＭ１００の前側（利用者側）に設置されたスタッカをＦスタッカ１０３，ＡＴＭ１００の後側に設置されたスタッカをＲスタッカ１０４とし，Ｆスタッカ１０３には万券を収納し，Ｒスタッカには千券を収納するものとする。
【０００７】
カセット（Ｆカセット１０５，Ｒカセット１０６）は，ＡＴＭ１００本体からの着脱が可能な紙幣の収納ボックスである。ここでは，ＡＴＭ１００の前側に設置されたカセットをＦカセット１０５，ＡＴＭ１００の後側に設置されたカセットをＲカセット１０６とする。
【０００８】
スタッカ（１０３，１０４）に紙幣を補充する場合には，管理者によってカセット（１０５，１０６）に紙幣が補充され，カセット（１０５，１０６）からスタッカ（１０３，１０４）に紙幣が補充される。このとき，カセット（１０５，１０６）に千券と万券とがばらばらに混じって収納されていても，スタッカ（１０３，１０４）への補充時に金種が判別され，万券はＦスタッカ１０３に，千券はＲスタッカ１０４に補充される。
【０００９】
リジェクトボックス１０７は，利用者への出金に使用しない紙幣を収納する小型のボックスである。通常は，流通量の少ない五千券，二千券は出金の対象外となるため，入金された五千券，二千券はリジェクトボックス１０７に収納される。また，汚れや傷みなどがひどい紙幣も出金の対象外となるため，リジェクトボックス１０７に収納される。リジェクトボックス１０７は，ＡＴＭ１００本体からの着脱が可能である。
【００１０】
図１１（Ａ），図１１（Ｂ）を用いて，段階（１）の運用モードを説明する。段階（１）の運用モードは，新紙幣が発行されたばかりでまだほとんど流通していない場合の運用モードである。この運用モードでは，新紙幣と旧紙幣とが混合されて運用される。
【００１１】
図１１（Ａ）は，紙幣が投入された場合のＡＴＭの動作を説明する図である。紙幣出入口１０１から投入された紙幣は，鑑別部１０２で金種が判別され，万券はＦスタッカ１０３に，千券はＲスタッカ１０４に収納される。このとき，新紙幣と旧紙幣とが混在で収納される。
【００１２】
図１１（Ｂ）は，紙幣が発行される場合のＡＴＭの動作を説明する図である。Ｆスタッカ１０３の万券とＲスタッカ１０４の千券は，新紙幣と旧紙幣とが混在されたまま，鑑別部１０２を経由して紙幣出入口１０１から発行される。
【００１３】
図１１（Ｃ），図１１（Ｄ）を用いて，段階（２）の運用モードを説明する。段階（２）の運用モードは，新紙幣の流通がある程度進んだ場合の運用モードである。この運用モードでは，旧紙幣は回収され，新紙幣のみが発行される。
【００１４】
図１１（Ｃ）は，紙幣が投入された場合のＡＴＭの動作を説明する図である。紙幣出入口１０１から投入された紙幣は，鑑別部１０２で金種が判別され，新万券はＦスタッカ１０３に，新千券はＲスタッカ１０４に収納される。旧紙幣は，千券も万券もまとめてＦカセット１０５に回収される。
【００１５】
図１１（Ｄ）は，紙幣が発行される場合のＡＴＭの動作を説明する図である。Ｆスタッカ１０３の新万券とＲスタッカ１０４の新千券は，鑑別部１０２を経由して紙幣出入口１０１から発行される。Ｆカセット１０５の旧紙幣（旧千券，旧万券）は，紙幣出入口１０１からは発行されず，管理者により回収される。
【００１６】
図１１（Ｅ），図１１（Ｆ）を用いて，段階（３）の運用モードを説明する。段階（３）の運用モードは，新紙幣の流通が進み，旧紙幣がほとんど使用されなくなった場合の運用モードである。この運用モードでは，段階（２）の運用モードと同様に，旧紙幣は回収され，新紙幣のみが発行される。
【００１７】
図１１（Ｅ）は，紙幣が投入された場合のＡＴＭの動作を説明する図である。紙幣出入口１０１から投入された紙幣は，鑑別部１０２で金種が判別され，新万券はＦスタッカ１０３に，新千券はＲスタッカ１０４に収納される。旧紙幣は，千券も万券もまとめてリジェクトボックス１０７に回収される。
【００１８】
図１１（Ｆ）は，紙幣が発行される場合のＡＴＭの動作を説明する図である。Ｆスタッカ１０３の新万券とＲスタッカ１０４の新千券は，鑑別部１０２を経由して紙幣出入口１０１から発行される。リジェクトボックス１０７の旧紙幣（旧千券，旧万券）は，紙幣出入口１０１からは発行されず，管理者により回収される。
【００１９】
図１２は，ＡＴＭにおける運用モード別新旧紙幣の取扱い状態の例を示す図である。図１２は，図１１で説明した３段階の運用モードにおける新旧紙幣の取扱い状態をまとめたものである。
【００２０】
段階（１）：新旧紙幣リサイクルモード
入金された新紙幣，旧紙幣は，ともに出金取引にまわされる。Ｆスタッカ１０３，Ｒスタッカ１０４，Ｆカセット１０５，Ｒカセット１０６には，新紙幣と旧紙幣との双方が混ざったまま収納される。リジェクトボックス１０７には，利用者には発行されない新紙幣と旧紙幣とが収納される。
【００２１】
段階（２）：旧紙幣カセット回収モード
入金された新紙幣は出金取引にまわされるが，旧紙幣はＦカセット１０５に回収される。Ｆスタッカ１０３，Ｒスタッカ１０４には，新紙幣のみが収納される。Ｆカセット１０５には，回収する旧紙幣が収納される。Ｒカセット１０６には，補充用の新紙幣が収納される。リジェクトボックス１０７には，利用者には発行されない新紙幣と旧紙幣とが収納される。
【００２２】
段階（３）：旧紙幣リジェクト回収モード
入金された新紙幣は出金取引にまわされるが，旧紙幣はリジェクトボックス１０７に回収される。Ｆスタッカ１０３，Ｒスタッカ１０４，Ｆカセット１０５，Ｒカセット１０６には，新紙幣のみが収納される。リジェクトボックス１０７には，利用者には発行されない新紙幣と旧紙幣とが収納される。
【００２３】
このような新旧紙幣の運用モードの切替えは，管理者がＡＴＭごとに判断して行っていた。
【００２４】
なお，従来は新旧紙幣の運用モードの切替えは人手によって行われていたため，ＡＴＭが自動的に新旧紙幣の運用モードを切り替える技術が記載された文献は，存在しないものと考えられる。
【発明の開示】
【発明が解決しようとする課題】
【００２５】
上述したように，従来は，管理者が，ＡＴＭごとに判断して新旧紙幣の運用モードの切替えを行っていた。また，例えば，ある金融機関の全支店を管理するホストコンピュータ（以下，ホストという）が，各ＡＴＭを監視する技術はあるが，新旧紙幣の運用モードの切替えは，結局管理者が行うしかなかった。
【００２６】
本発明は，上記の問題点の解決を図り，ＡＴＭが自動的に新旧紙幣の運用モードを切り替える技術を提供することを目的とする。
【課題を解決するための手段】
【００２７】
本発明は，上記の課題を解決するため，新紙幣の流通量が，あらかじめ設定された運用モード切替えの基準となる値に達したときに，ＡＴＭが，自動的に新旧紙幣の運用モードを切り替えることを特徴とする。
【００２８】
図１は，本発明におけるＡＴＭ制御システムの原理構成例を示す図である。ＡＴＭ制御システム１は，新紙幣流通量設定情報入力手段２，新紙幣流通量設定情報管理手段３，カウンタ情報管理手段４，新紙幣流通量設定情報変更手段５，新紙幣流通量算出手段６，新紙幣流通量比較手段７，運用モード切替手段８から構成される。
【００２９】
新紙幣流通量設定情報入力手段２は，新紙幣流通量の設定情報（運用モード切替えの基準となる新紙幣流通量を示す値に関する情報）をシステム外部から入力する。
【００３０】
新紙幣流通量設定情報管理手段３は，新紙幣流通量の設定情報を管理し，保持する。新紙幣流通量設定情報入力手段２により新たに新紙幣流通量の設定情報が入力された場合や，新紙幣流通量設定情報変更手段５により新たに新紙幣流通量の設定情報が変更された場合には，新たな新紙幣流通量の設定情報で元の新紙幣流通量の設定情報を更新する。
【００３１】
カウンタ情報管理手段４は，出金紙幣枚数，入金紙幣枚数などの情報（カウンタ情報）を管理し，保持する。
【００３２】
新紙幣流通量設定情報変更手段５は，カウンタ情報管理手段４が保持するカウンタ情報をもとに実際にＡＴＭに入金された新紙幣および旧紙幣の枚数を集計し，その時点で最適な新紙幣流通量の設定情報を新たに算出し，その新たに算出された新紙幣流通量の設定情報で新紙幣流通量設定情報管理手段３が保持する新紙幣流通量の設定情報を変更する。
【００３３】
上記新紙幣流通量設定情報入力手段２をＡＴＭ内に設け，新紙幣流通量設定情報変更手段５を全ＡＴＭを管理するホストコンピュータに設けることができる。
【００３４】
新紙幣流通量算出手段６は，カウンタ情報管理手段４が保持するカウンタ情報をもとに，新紙幣流通量を算出する。
【００３５】
新紙幣流通量比較手段７は，新紙幣流通量設定情報管理手段３に保持されている新紙幣流通量の設定情報と，新紙幣流通量算出手段６で算出された新紙幣流通量とを比較し，算出された新紙幣流通量に該当する運用モードの段階を検出する。
【００３６】
運用モード切替手段８は，新紙幣流通量比較手段７で検出された運用モードの段階が現在の運用モードの段階と異なる場合に，現在の運用モードの段階を新紙幣流通量比較手段７により検出された運用モードの段階に切り替える。
【００３７】
このように，新紙幣流通量の設定情報をあらかじめ設定しておくことにより，ＡＴＭが自動的に新旧紙幣の運用を切り替えることが可能となる。また，すべてのＡＴＭを管理するホストコンピュータに新紙幣流通量の設定情報の変更を指示する手段を備えておくことにより，新紙幣流通量の設定情報をホストコンピュータから容易に変更することができる。
【発明の効果】
【００３８】
本発明により，新紙幣対応のＡＴＭ導入時に新紙幣流通量の設定情報を設定をするだけでＡＴＭにおける新旧紙幣の運用を自動的に切り替えることができるようになるため，ＡＴＭ運用開始後の管理者による新旧紙幣の運用変更作業を削減することができる。
【００３９】
また，新紙幣流通量の設定情報をホストからの指示で切り替えることが可能となるため，ＡＴＭの運用を開始した後でも，状況に応じた新紙幣流通量の設定情報の変更が可能となる。
【発明を実施するための最良の形態】
【００４０】
以下，本発明の実施の形態を図を用いて説明する。
【００４１】
図２は，本発明が適用されるシステムの例を示す図である。図２の例はある金融機関全体のシステムの例であり，全支店（本店を含む）のＡＴＭ１０や支店端末２０は，ネットワーク４０を介してホスト３０に接続されている。支店端末２０は，支店内金庫の情報など，ＡＴＭ１０以外の支店内の情報を管理する。ホスト３０は，全支店のＡＴＭ１０や支店端末２０を監視する。
【００４２】
以下，図２に示すシステムの例を前提に，本発明の実施の形態を説明する。なお，以下の実施の形態では，新紙幣流通量を示すものとして，新券比率を用いる。ここでの新券比率とは，ＡＴＭ１０に入金された全紙幣（新旧紙幣）に対する入金された新紙幣の枚数の割合のことである。
【００４３】
〔実施の形態１〕
本実施の形態１では，あらかじめＡＴＭ１０に設定された新券比率の設定情報に基づいて，ＡＴＭ１０が自動的に新旧紙幣の運用モードを切り替える。
【００４４】
図３は，本実施の形態１におけるＡＴＭ制御システムの構成例を示す図である。ＡＴＭ１０内部に備えられた運用モード自動切替装置１１は，新券比率設定情報入力部１２，新券比率設定情報管理部１３，カウンタ情報管理部１４，新券比率算出部１５，新券比率比較部１６，運用モード切替部１７から構成される。
【００４５】
新券比率設定情報入力部１２は，ＡＴＭ１０の導入時や新券比率の変更が必要な場合などに管理者が行う新券比率の設定情報の入力を受け付ける。ここで，導入前のＡＴＭ１０に，新券比率の設定情報のデフォルト値があらかじめ設定されていてもよい。
【００４６】
新券比率設定情報管理部１３は，あらかじめ設定された新券比率の設定情報を管理し，保持する。また，新券比率設定情報入力部１２から新たに新券比率の設定情報の入力があった場合には，その新たに入力された新券比率の設定情報で現在の新券比率の設定情報を更新する。
【００４７】
図４は，本実施の形態における新券比率の設定情報の例を示す図である。図４に示すように，各段階ごとに，対応する新券比率の範囲が記録されている。
【００４８】
カウンタ情報管理部１４は，ＡＴＭ１０における出金紙幣枚数，入金紙幣枚数などのカウンタ情報を管理し，保持する。
【００４９】
図５は，本実施の形態におけるカウンタ情報の例を示す図である。図５の例のカウンタ情報は，出金紙幣枚数，入金紙幣枚数（新券），入金紙幣枚数（旧券），保有紙幣枚数（新券），保有紙幣枚数（旧券），振替金額，おつり枚数等のＡＴＭ内における様々なカウンタ値を持つ。
【００５０】
新券比率算出部１５は，新券の流通量を示す新券比率を算出する。新券比率は，例えば，カウンタ情報管理部１４に保持されているカウンタ情報を用いて，
新券比率
＝入金紙幣枚数（新券）／（入金紙幣枚数（新券）＋入金紙幣枚数（旧券））
という式で求めることができる。
【００５１】
新券比率比較部１６は，新券比率設定情報管理部１３に保持されている新券比率の設定情報と，新券比率算出部１５で算出された新券比率とを比較し，算出された新券比率に該当する運用モードの段階を検出する。
【００５２】
運用モード切替部１７は，新券比率比較部１６で検出された運用モードの段階が現在のＡＴＭ１０の運用モードの段階と異なる場合に，ＡＴＭ１０の運用モードの段階を新券比率比較部１６で検出された運用モードの段階に切り替える。ただし，本システムは旧紙幣を回収して新紙幣を発行することを目的としているため，一度上げた段階を元に戻さないようにする方が好適である。図１１の例でいえば，段階（１）→段階（２）→段階（３）と段階を上げても，段階（２）→段階（１），段階（３）→段階（２）などのように段階を下げるようにはしない方がよい。
【００５３】
図６は，本実施の形態１における運用モード自動切替処理フローチャートである。図６の例は，ＡＴＭ１０における運用モードの段階が，図１１に示すように３段階である場合の例である。ＡＴＭ１０では，毎日の電源投入時などに，図６に示す運用モード自動切替処理を行う。
【００５４】
まず，運用モード自動切替装置１１は，カウンタ情報から新券比率を算出する（ステップＳ１０）。算出された新券比率と，あらかじめ設定されている新券比率の設定情報とを比較し，算出された新券比率が該当する運用モードの段階を検出する（ステップＳ１１）。
【００５５】
検出された運用モードの段階が現在の運用モードの段階より上か否かを確認し（ステップＳ１２），上でなければ，運用モードの段階を切り替えずに，ＡＴＭ１０の通常運用を開始する（ステップＳ１７）。
【００５６】
ステップＳ１２において検出された運用モードの段階の方が上であれば，ＡＴＭ１０の運用モードの段階を検出された運用モードの段階に切り替える（ステップＳ１３）。
【００５７】
ＡＴＭ１０は，切り替える前の運用モードが段階（１）であれば（ステップＳ１４），スタッカ内に新旧の紙幣が混在しているので，１度スタッカ内のすべての紙幣をカセットに回収し（ステップＳ１５），新券のみをカセットからスタッカに補充する（ステップＳ１６）。
【００５８】
その後，新たな運用モードの段階で，ＡＴＭ１０の通常運用を開始する（ステップＳ１７）。
【００５９】
〔実施の形態２〕
本実施の形態２では，ＡＴＭ１０がホスト３０に保有する新券，旧券の枚数に関する情報を送信し，ホスト３０が各ＡＴＭ１０，各支店端末２０から受信した新券，旧券の枚数に関する情報をもとにその金融機関全体が保有する新券の枚数を算出し，それをもとにＡＴＭごとの最適な新券比率の設定情報を算出して各ＡＴＭ１０に通知し，ＡＴＭ１０がホスト３０から受信した新券比率の設定情報で元の新券比率の設定情報を更新し，更新した設定情報に基づいて自動的に新旧紙幣の運用モードを切り替える。
【００６０】
図７は，本実施の形態２におけるＡＴＭ制御システムの概念を説明する図である。ホスト３０は，各支店のＡＴＭ１０，支店端末２０から保有する新券，旧券の枚数に関する情報を収集し，収集した情報からその金融機関全体が保有する新券の枚数を算出する（図７（Ａ））。ホスト３０は，算出した金融機関全体が保有する新券の枚数や，各支店が保有する新券，旧券の枚数に関する情報をもとに，各支店のＡＴＭ１０ごとに最適な新券比率の設定情報を算出し，それぞれのＡＴＭ１０に通知する（図７（Ｂ））。
【００６１】
このとき，各支店のＡＴＭ１０に通知する新券比率の設定情報は，全支店で同一の内容である必要はない。例えば，都市部は新券の流通が早く，地方部は新券の流通が遅れると考えられるため，都市部のＡＴＭ１０に対して優先的に新券が割り当てられるように新券比率の設定情報を決定することができる。
【００６２】
図８は，本実施の形態２におけるＡＴＭ制御システムの構成例を示す図である。ＡＴＭ１０内部に備えられた運用モード自動切替装置１１は，実施の形態１と同様に，新券比率設定情報入力部１２，新券比率設定情報管理部１３，カウンタ情報管理部１４，新券比率算出部１５，新券比率比較部１６，運用モード切替部１７から構成される。また，ＡＴＭ１０は，新券比率設定情報変更装置３１を備えるホスト３０とネットワーク４０を介して接続されている。
【００６３】
新券比率設定情報入力部１２は，前述の実施の形態１の場合と同様に，ＡＴＭ１０の導入時や新券比率の変更が必要な場合などに管理者が行う新券比率の設定情報の入力を受け付ける。
【００６４】
新券比率設定情報管理部１３は，あらかじめ設定された新券比率の設定情報を管理し，保持する。また，新券比率設定情報入力部１２から新たに新券比率の設定情報の入力があった場合には，その新たに入力された新券比率の設定情報で現在の新券比率の設定情報を更新する。また，ホスト３０からの新券比率の設定情報を受信した場合には，その受信された新券比率の設定情報で現在の新券比率の設定情報を更新する。
【００６５】
カウンタ情報管理部１４は，ＡＴＭ１０における出金紙幣枚数，入金紙幣枚数などのカウンタ情報を管理し，保持する。また，ＡＴＭ１０が保有する新券，旧券の枚数に関する情報をホスト３０に通知する。
【００６６】
図９は，本実施の形態におけるＡＴＭが保有する新券，旧券の枚数に関する情報の構成例を示す図である。図９の例の情報は，金種ごとに，ＡＴＭ１０が保有する新券の枚数，旧券の枚数の情報を持つ。
【００６７】
新券比率算出部１５は，前述の実施の形態１の場合と同様に，新券の流通量を示す新券比率を算出する。新券比率は，例えば，カウンタ情報管理部１４に保持されているカウンタ情報を用いて，
新券比率
＝入金紙幣枚数（新券）／（入金紙幣枚数（新券）＋入金紙幣枚数（旧券））
という式で求めることができる。
【００６８】
新券比率比較部１６は，前述の実施の形態１の場合と同様に，新券比率設定情報管理部１３に保持されている新券比率の設定情報と，新券比率算出部１５で算出された新券比率とを比較し，算出された新券比率に該当する運用モードの段階を検出する。
【００６９】
運用モード切替部１７は，前述の実施の形態１の場合と同様に，新券比率比較部１６で検出された運用モードの段階が現在のＡＴＭ１０の運用モードの段階と異なる場合に，ＡＴＭ１０の運用モードの段階を新券比率比較部１６で検出された運用モードの段階に切り替える。
【００７０】
ホスト３０において，新券比率設定情報変更装置３１は，各支店のＡＴＭ１０，支店端末２０から保有する新券，旧券の枚数に関する情報を収集し，収集した情報からその金融機関全体が保有する新券の枚数を算出する。算出された金融機関全体が保有する新券の枚数や，各支店が保有する新券，旧券の枚数に関する情報をもとに，各支店のＡＴＭ１０ごとに最適な新券比率の設定情報を算出し，それぞれのＡＴＭ１０に通知する。
【００７１】
図１０は，本実施の形態２における運用モード自動切替処理フローチャートである。図１０の例は，ＡＴＭ１０における運用モードの段階が，図１１に示すように３段階である場合の例である。ＡＴＭ１０では，毎日の電源投入時などに，図１０に示す運用モード自動切替処理を行う。なお，このフローチャートでは，電源投入時の運用モード自動切替処理であるものとする。また，本フローチャートで着目する特定のＡＴＭ１０を他のＡＴＭ１０と区別するために，ＡＴＭ１０ａと表すものとする。図１０（Ａ）は，ＡＴＭ１０ａにおける処理フローチャートであり，図１０（Ｂ）は，ホスト３０における処理フローチャートである。
【００７２】
まず，ＡＴＭ１０ａの運用モード自動切替装置１１は，電源が投入されると，ＡＴＭ１０ａが保有する新券，旧券の枚数に関する情報を含む開局要求をホスト３０に送信する（ステップＳ２０）。
【００７３】
ホスト３０の新券比率設定情報変更装置３１は，各支店のＡＴＭ１０（ＡＴＭ１０ａを含む），支店端末２０から保有する新券，旧券の枚数に関する情報を収集し（ステップＳ３０），収集した情報からその金融機関全体が保有する新券の枚数を算出する（ステップＳ３１）。算出された金融機関全体が保有する新券の枚数や，各支店が保有する新券，旧券の枚数に関する情報をもとに，各支店のＡＴＭ１０ごとに最適な新券比率の設定情報を算出し（ステップＳ３２），その算出された新券比率の設定情報を含む開局応答を，それぞれのＡＴＭ１０に通知する（ステップＳ３３）。
【００７４】
ＡＴＭ１０ａの運用モード自動切替装置１１は，ホストから受信した開局応答に含まれる新券比率の設定情報で，現在の新券比率の設定情報を更新する（ステップＳ２１）。
【００７５】
次に，ＡＴＭ１０ａの運用モード自動切替装置１１は，カウンタ情報から新券比率を算出する（ステップＳ２２）。算出された新券比率と，あらかじめ設定されている新券比率の設定情報とを比較し，算出された新券比率が該当する運用モードの段階を検出する（ステップＳ２３）。
【００７６】
検出された運用モードの段階が現在の運用モードの段階より上か否かを確認し（ステップＳ２４），上でなければ，運用モードの段階を切り替えずに，ＡＴＭ１０ａの通常運用を開始する（ステップＳ２９）。
【００７７】
ステップＳ２４において検出された運用モードの段階の方が上であれば，ＡＴＭ１０ａの運用モードの段階を検出された運用モードの段階に切り替える（ステップＳ２５）。
【００７８】
ＡＴＭ１０ａは，切り替える前の運用モードが段階（１）であれば（ステップＳ２６），スタッカ内に新旧の紙幣が混在しているので，１度スタッカ内のすべての紙幣をカセットに回収し（ステップＳ２７），新券のみをカセットからスタッカに補充する（ステップＳ２８）。
【００７９】
その後，新たな運用モードの段階で，ＡＴＭ１０ａの通常運用を開始する（ステップＳ２９）。
【００８０】
以上，本発明の実施の形態について説明したが，本発明はこれに限られるものではない。例えば，前述の実施の形態では新券比率の設定情報で各段階ごとの新券比率の範囲を設定しているが，新券比率の設定情報で各段階の境となる新券比率の値（閾値）を設定し，算出された新券比率の値が新券比率の設定情報に設定された値（閾値）に達したときに，運用モードの段階を上げるようにしてもよい。
【００８１】
また，前述の実施の形態２において，ホスト３０では変更する新券比率の設定情報の算出のみを行っているが，ホスト３０が，各ＡＴＭ１０の新券比率の設定情報を管理し，各ＡＴＭ１０から受信したカウンタ情報から各ＡＴＭ１０の新券比率を算出し，各ＡＴＭ１０に最適な運用モードの段階を検出し，運用モードの切替えが必要なＡＴＭ１０に対して運用モードの切替え指示を送るようにしてもよい。このとき，ＡＴＭ１０は，ホスト３０からの指示により，自動的に運用モードを切り替える。
【図面の簡単な説明】
【００８２】
【図１】本発明におけるＡＴＭ制御システムの原理構成例を示す図である。
【図２】本発明が適用されるシステムの例を示す図である。
【図３】本実施の形態１におけるＡＴＭ制御システムの構成例を示す図である。
【図４】本実施の形態における新券比率の設定情報の例を示す図である。
【図５】本実施の形態におけるカウンタ情報の例を示す図である。
【図６】本実施の形態１における運用モード自動切替処理フローチャートである。
【図７】本実施の形態２におけるＡＴＭ制御システムの概念を説明する図である。
【図８】本実施の形態２におけるＡＴＭ制御システムの構成例を示す図である。
【図９】本実施の形態におけるＡＴＭが保有する新券，旧券の枚数に関する情報の構成例を示す図である。
【図１０】本実施の形態２における運用モード自動切替処理フローチャートである。
【図１１】ＡＴＭにおける運用モードの例を説明する図である。
【図１２】ＡＴＭにおける運用モード別新旧紙幣の取扱い状態の例を示す図である。
【符号の説明】
【００８３】
１  ＡＴＭ制御システム
２  新紙幣流通量設定情報入力手段
３  新紙幣流通量設定情報管理手段
４  カウンタ情報管理手段
５  新紙幣流通量設定情報変更手段
６  新紙幣流通量算出手段
７  新紙幣流通量比較手段
８  運用モード切替手段
１０  ＡＴＭ
１１  運用モード自動切替装置
１２  新券比率設定情報入力部
１３  新券比率設定情報管理部
１４  カウンタ情報管理部
１５  新券比率算出部
１６  新券比率比較部
１７  運用モード切替部
２０  支店端末
３０  ホスト
３１  新券比率設定情報変更装置
４０  ネットワーク
【図１】
2005339320.tif 000003
【図２】
2005339320.tif 000004
【図３】
2005339320.tif 000005
【図４】
2005339320.tif 000006
【図５】
2005339320.tif 000007
【図６】
2005339320.tif 000008
【図７】
2005339320.tif 000009
【図８】
2005339320.tif 000010
【図９】
2005339320.tif 000011
【図１０】
2005339320.tif 000012
【図１１】
2005339320.tif 000013
【図１２】
2005339320.tif 000014